(57)【特許請求の範囲】
【請求項１】
複数のセルが確立可能な移動局と、前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置とを含む移動通信システムであって、
前記基地局制御装置は、前記移動局から測定結果報告によってイベント情報が報告されてくる時に前記ＨＳＤＰＡが実施中か否かを判定する第１の判定手段と、前記ベストセルが前記ＨＳＤＰＡを実施可能なセルかどうかを判定する第２の判定手段と、少なくとも現在ＨＳＤＰＡを実施中のセルが削除されるかどうか、または現在ＨＳＤＰＡを実施中のセルが削除されるセルかどうかを判定する第３の判定手段と、前記第１〜第３の判定手段各々の判定結果に応じて前記移動局に対してハンドオーバ実施後に前記ＨＳＤＰＡを実施するかどうかを決定する決定手段とを有し、
前記決定手段は、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定することを特徴とする移動通信システム。
【請求項２】
前記イベント情報は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を確立しているセルを追加するイベントと、前記ＨＳ−ＰＤＳＣＨを確立しているセルを削除するイベントと、未接続のセルが接続しているセルよりも品質が良好であることを通知するイベントと、前記ベストセルを切換えるイベントとを含むことを特徴とする請求項１記載の移動通信システム。
【請求項３】
複数のセルが確立可能な移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置であって、
前記移動局から測定結果報告によってイベント情報が報告されてくる時に前記ＨＳＤＰＡが実施中か否かを判定する第１の判定手段と、前記ベストセルが前記ＨＳＤＰＡを実施可能なセルかどうかを判定する第２の判定手段と、少なくとも現在ＨＳＤＰＡを実施中のセルが削除されるかどうか、または現在ＨＳＤＰＡを実施中のセルが削除されるセルかどうかを判定する第３の判定手段と、前記第１〜第３の判定手段各々の判定結果に応じて前記移動局に対してハンドオーバ実施後に前記ＨＳＤＰＡを実施するかどうかを決定する決定手段とを有し、
前記決定手段は、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定することを特徴とする基地局制御装置。
【請求項４】
前記イベント情報は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を確立しているセルを追加するイベントと、前記ＨＳ−ＰＤＳＣＨを確立しているセルを削除するイベントと、未接続のセルが接続しているセルよりも品質が良好であることを通知するイベントと、前記ベストセルを切換えるイベントとを含むことを特徴とする請求項３記載の基地局制御装置。
【請求項５】
複数のセルが確立可能な移動局と、前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置とを含む移動通信システムに用いる高品質セル決定方法であって、
前記基地局制御装置が、前記移動局から測定結果報告によってイベント情報が報告されてくる時に前記ＨＳＤＰＡが実施中か否かを判定する第１の判定処理と、前記ベストセルが前記ＨＳＤＰＡを実施可能なセルかどうかを判定する第２の判定処理と、少なくとも現在ＨＳＤＰＡを実施中のセルが削除されるかどうか、または現在ＨＳＤＰＡを実施中のセルが削除されるセルかどうかを判定する第３の判定処理と、前記第１〜第３の判定手段各々の判定結果に応じて前記移動局に対してハンドオーバ実施後に前記ＨＳＤＰＡを実施するかどうかを決定する決定処理とを実行し、
前記決定処理において、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定することを特徴とする高品質セル決定方法。
【請求項６】
前記イベント情報は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を確立しているセルを追加するイベントと、前記ＨＳ−ＰＤＳＣＨを確立しているセルを削除するイベントと、未接続のセルが接続しているセルよりも品質が良好であることを通知するイベントと、前記ベストセルを切換えるイベントとを含むことを特徴とする請求項５記載の高品質セル決定方法。
【発明の詳細な説明】
【技術分野】
【０００１】
本発明は移動通信システム、基地局制御装置及びそれらに用いる高品質セル決定方法に関し、特にＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）システムにおけるＨＳＤＰＡ（Ｈｉｇｈ  Ｓｐｅｅｄ  Ｄｏｗｎｌｉｎｋ  Ｐａｃｋｅｔ  Ａｃｃｅｓｓ）実施セルを選出する方法に関する。
【背景技術】
【０００２】
ＨＳＤＰＡとは、複数の下り物理チャネルを１セル内の共有リソースとして用意し、複数の移動局（ＵＥ：Ｕｓｅｒ  Ｅｑｕｉｐｍｅｎｔ）に動的に使用させることによって、下り通信速度の高速化（最大１４．４Ｍｂｐｓ）を実現する機能である。
【０００３】
共有リソースとして用意された下り物理チャネル（Ｃｈａｎｎｅｌ）をＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）と呼び、この物理チャネルは、一つの移動局で一つのチャネルしか使用できない。また、ＨＳＤＰＡでは、ＨＳ−ＰＤＳＣＨのほかに、Ａ−ＤＰＣＨ（Ａｓｓｏｃｉａｔｅｄ  Ｄｅｄｉｃａｔｅｄ  Ｐｈｙｓｉｃａｌ  Ｃｈａｎｎｅｌ）という個別付随チャネルを使用する（例えば、特許文献１参照）。Ａ−ＤＰＣＨでは、一つの移動局に複数のＡ−ＤＰＣＨを確立することが可能である。
【０００４】
ＨＳ−ＰＤＳＣＨを確立するセルは、複数ある無線リンク（Ｒａｄｉｏ  Ｌｉｎｋ）の中で最も品質の良いセル（以下、ベストセルとする）が望ましい。このベストセルを測定するために、Ｉｎｔｒａ−ｆｒｅｑｕｅｎｃｙ  ｍｅａｓｕｒｅｍｅｎｔ  ｒｅｐｏｒｔｉｎｇ  ｅｖｅｎｔｓの「Ｅｖｅｎｔ  １ｄ（ベストセルの切替え）」を使用する方法がある。しかしながら、この方法だけでは、移動局がＭｅａｓｕｒｅｍｅｎｔ  Ｒｅｐｏｒｔ（測定結果報告）によって「Ｅｖｅｎｔ  １ｄ」を報告してくるまでの間（「Ｅｖｅｎｔ  １ｄ」のＴｉｍｅ  ｔｏ  ｔｒｉｇｇｅｒ）は、ベストセルでＨＳＤＰＡを実施することができない。
【０００５】
この問題は、特に、ＨＳ−ＰＤＳＣＨを確立している無線リンクが削除される時にクリティカルとなる。例えば、ある移動局が３つの無線リンクを保持している状態で、ＨＳ−ＰＤＳＣＨを確立している無線リンクを削除するイベントである「Ｅｖｅｎｔ  １ｂ」がＭｅａｓｕｒｅｍｅｎｔ  Ｒｅｐｏｒｔ（測定結果報告）によって移動局から報告された時点では、残りの２つの無線リンクのうち、とちらの無線リンクの品質が良いかがわからないため、ＨＳＤＰＡを継続することができない。
【０００６】
【特許文献１】特開２００４−３２５６１号公報
【発明の開示】
【発明が解決しようとする課題】
【０００７】
上述したＩＭＴ−２０００システムでは、ＨＳＤＰＡ方式での高速パケット通信中に、加入者の移動等によって、ハンドオーバの発生に伴い、ＨＳＤＰＡ実施中にＨＳＤＰＡを停止する可能性があり、そのＨＳＤＰＡの停止がサービスの低下につながる。
【０００８】
そこで、本発明の目的は上記の問題点を解消し、異なるセル間で移動局の移動が発生した場合でも、ＨＳＤＰＡの実施を可能とすることができる移動通信システム、基地局制御装置及びそれらに用いる高品質セル決定方法を提供することにある。
【課題を解決するための手段】
【０００９】
本発明による移動通信システムは、複数のセルが確立可能な移動局と、前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置とを含む移動通信システムであって、
前記基地局制御装置は、前記移動局から測定結果報告によってイベント情報が報告されてくる時に前記ＨＳＤＰＡが実施中か否かを判定する第１の判定手段と、前記ベストセルが前記ＨＳＤＰＡを実施可能なセルかどうかを判定する第２の判定手段と、少なくとも現在ＨＳＤＰＡを実施中のセルが削除されるかどうか、または現在ＨＳＤＰＡを実施中のセルが削除されるセルかどうかを判定する第３の判定手段と、前記第１〜第３の判定手段各々の判定結果に応じて前記移動局に対してハンドオーバ実施後に前記ＨＳＤＰＡを実施するかどうかを決定する決定手段とを備え、
前記決定手段は、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定している。
【００１０】
本発明による基地局制御装置は、複数のセルが確立可能な移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置であって、
前記移動局から測定結果報告によってイベント情報が報告されてくる時に前記ＨＳＤＰＡが実施中か否かを判定する第１の判定手段と、前記ベストセルが前記ＨＳＤＰＡを実施可能なセルかどうかを判定する第２の判定手段と、少なくとも現在ＨＳＤＰＡを実施中のセルが削除されるかどうか、または現在ＨＳＤＰＡを実施中のセルが削除されるセルかどうかを判定する第３の判定手段と、前記第１〜第３の判定手段各々の判定結果に応じて前記移動局に対してハンドオーバ実施後に前記ＨＳＤＰＡを実施するかどうかを決定する決定手段とを備え、
前記決定手段は、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定している。
【００１１】
本発明による高品質セル決定方法は、複数のセルが確立可能な移動局と、前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信中に前記複数のセルの中で最も品質の高いベストセルでＨＳＤＰＡを実施する基地局制御装置とを含む移動通信システムに用いる高品質セル決定方法であって、
前記基地局制御装置が、前記移動局から測定結果報告によってイベント情報が報告されてくる時に前記ＨＳＤＰＡが実施中か否かを判定する第１の判定処理と、前記ベストセルが前記ＨＳＤＰＡを実施可能なセルかどうかを判定する第２の判定処理と、少なくとも現在ＨＳＤＰＡを実施中のセルが削除されるかどうか、または現在ＨＳＤＰＡを実施中のセルが削除されるセルかどうかを判定する第３の判定処理と、前記第１〜第３の判定手段各々の判定結果に応じて前記移動局に対してハンドオーバ実施後に前記ＨＳＤＰＡを実施するかどうかを決定する決定処理とを実行し、
前記決定処理において、前記ＨＳＤＰＡを実施中で、前記ベストセルが前記ＨＳＤＰＡ実施可能なセルであれば、前記ハンドオーバ実施後に前記ＨＳＤＰＡを実施すると決定し、前記ベストセルが前記ＨＳＤＰＡ実施可能なセルでなければ、前記ハンドオーバのみを実施すると決定し、前記ＨＳＤＰＡを実施中でなく、現在ＨＳＤＰＡを実施中のセルが前記ベストセルであるか、現在ＨＳＤＰＡを実施中のセルが削除されないのであれば、前記ハンドオーバのみを実施すると決定している。
【００１２】
すなわち、本発明の移動通信システムは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）システムの基地局制御装置（ＲＮＣ：Ｒａｄｉｏ  Ｎｅｔｗｏｒｋ  Ｃｏｎｔｒｏｌｌｅｒ）において、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信時に、確立している無線リンク（Ｒａｄｉｏ  Ｌｉｎｋ）が複数ある場合、最も品質の高い無線リンクでＨＳＤＰＡを実施する必要があり、この最も品質の高い無線リンクを決定することで、ＨＳＤＰＡをより実施しやすくしている。
【００１３】
本発明の移動通信システムでは、最も品質の良いセル（以下、ベストセルとする）を知る方法として、ベストセルの切替えを行うイベントである「Ｅｖｅｎｔ  １ｄ」のほかに、Ｉｎｔｒａ−ｆｒｅｑｕｅｎｃｙ  ｍｅａｓｕｒｅｍｅｎｔ  ｒｅｐｏｒｔｉｎｇ  ｅｖｅｎｔｓの「Ｅｖｅｎｔ  １ａ」，「Ｅｖｅｎｔ  １ｂ」，「Ｅｖｅｎｔ  １ｃ」を使用している。
【００１４】
ここで、「Ｅｖｅｎｔ  １ａ」はＨＳ−ＰＤＳＣＨを確立している無線リンクを追加するイベントであり、「Ｅｖｅｎｔ  １ｂ」はＨＳ−ＰＤＳＣＨを確立している無線リンクを削除するイベントであり、「Ｅｖｅｎｔ  １ｃ」は未接続セルが接続セルよりも品質が良好であることを通知するイベントである［３ＧＰＰ  ＴＳ２５．３３１  Ｖ６．８．０“Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ”（２００５−１２）（非特許文献１）参照］。これらのイベントはＭｅａｓｕｒｅｍｅｎｔ  Ｒｅｐｏｒｔ（測定結果報告）によって移動局から報告されてくるものである。
【００１５】
基地局制御装置は「Ｅｖｅｎｔ  １ａ」，「Ｅｖｅｎｔ  １ｂ」，「Ｅｖｅｎｔ  １ｃ」のＭｅａｓｕｒｅｍｅｎｔ  Ｒｅｐｏｒｔ（測定結果報告）を受信した際に、メッセージ内のＩｎｔｒａ−ｆｒｅｑｕｅｎｃｙ  ｍｅａｓｕｒｅｄ  ｒｅｓｕｌｔｓ  ｌｉｓｔとアクティブセット（Ａｃｔｉｖｅ  Ｓｅｔ：接続セル）とを比較し、アクティブセットにあるセルの中でＩｎｔｒａ−ｆｒｅｑｕｅｎｃｙ  ｍｅａｓｕｒｅｄ  ｒｅｓｕｌｔｓ  ｌｉｓｔの先頭にあるセルを最も品質の良いセルとみなす。
【００１６】
この方式によって、本発明の移動通信システムでは、例えば、ある移動局が３つの無線リンクを保持している状態で、ＨＳ−ＰＤＳＣＨを確立している無線リンクを削除するイベントである「Ｅｖｅｎｔ  １ｂ」をＭｅａｓｕｒｅｍｅｎｔ  Ｒｅｐｏｒｔ（測定結果報告）にて受信した時点で、残りの無線リンクのうち品質のよい方がＨＳＤＰＡが可能なセルであれば、ＨＳＤＰＡを継続することが可能となる。
【００１７】
このように、本発明の移動通信システムでは、最も品質のよい無線リンクを早めに知ることによって、ＨＳＤＰＡを実施する機会を増やすことを可能としている。よって、本発明の移動通信システムでは、基地局制御装置において異なるセル間での移動局の移動が発生した場合でも、ＨＳＤＰＡの実施が可能となる。
【発明の効果】
【００１８】
本発明は、上記のような構成及び動作とすることで、異なるセル間で移動局の移動が発生した場合でも、ＨＳＤＰＡの実施を可能とすることができるという効果が得られる。
【発明を実施するための最良の形態】
【００１９】
次に、本発明の実施例について図面を参照して説明する。図１は本発明の一実施例による移動通信システムの構成を示すブロック図である。図１において、本発明の一実施例による移動通信システムは、移動局（ＵＥ：Ｕｓｅｒ  Ｅｑｕｉｐｍｅｎｔ）１と、セル（Ｃｅｌｌ）２０−１，２０−２をそれぞれ管理する基地局（Ｎｏｄｅ−Ｂ）２−１，２−２と、基地局２−１，２−２を管理する基地局制御装置（ＲＮＣ：Ｒａｄｉｏ  Ｎｅｔｗｏｒｋ  Ｃｏｎｔｒｏｌｌｅｒ）３と、移動交換網の交換動作を行う移動交換局（ＣＮ：Ｃｏｒｅ  Ｎｅｔｗｏｒｋ）４とから構成されており、基地局制御装置３はデータの複製分配や合成選択を行う複製分配／合成選択装置（ＭＤＣ：Ｍａｃｒｏ  Ｄｉｖｅｒｓｉｔｙ  Ｃｏｍｂｉｎｉｎｇ）３１を備えている。
【００２０】
本発明の一実施例による移動通信システムは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）システムであり、このシステム内の基地局制御装置３では、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信時に、確立している無線リンク（Ｒａｄｉｏ  Ｌｉｎｋ）（以下、セルとする）が複数ある場合、最も品質の高いセルでＨＳＤＰＡを実施する必要があり、この最も品質の高いセルを決定することで、ＨＳＤＰＡをより実施しやすくしている。
【００２１】
本実施例では、最も品質の良いセル（以下、ベストセルとする）を知る方法として、ベストセルの切替えを行うイベントである「Ｅｖｅｎｔ  １ｄ」のほかに、Ｍｅａｓｕｒｅｍｅｎｔ  Ｒｅｐｏｒｔ（測定結果報告）によって移動局１から報告されてくるＩｎｔｒａ−ｆｒｅｑｕｅｎｃｙ  ｍｅａｓｕｒｅｍｅｎｔ  ｒｅｐｏｒｔｉｎｇ  ｅｖｅｎｔｓの「Ｅｖｅｎｔ  １ａ」，「Ｅｖｅｎｔ  １ｂ」，「Ｅｖｅｎｔ  １ｃ」を使用している。
【００２２】
ここで、「Ｅｖｅｎｔ  １ａ」はＨＳ−ＰＤＳＣＨを確立している無線リンクを追加するイベントであり、「Ｅｖｅｎｔ  １ｂ」はＨＳ−ＰＤＳＣＨを確立している無線リンクを削除するイベントであり、「Ｅｖｅｎｔ  １ｃ」は未接続セルが接続セルよりも品質が良好であることを通知するイベントである（非特許文献１の１０．３．７．３９章参照）。これらのイベントはＭｅａｓｕｒｅｍｅｎｔ  Ｒｅｐｏｒｔ（測定結果報告）によって移動局１から報告されてくる。
【００２３】
基地局制御装置３は「Ｅｖｅｎｔ  １ａ」，「Ｅｖｅｎｔ  １ｂ」，「Ｅｖｅｎｔ  １ｃ」のＭｅａｓｕｒｅｍｅｎｔ  Ｒｅｐｏｒｔ（測定結果報告）を受信した際に、メッセージ内のＩｎｔｒａ−ｆｒｅｑｕｅｎｃｙ  ｍｅａｓｕｒｅｄ  ｒｅｓｕｌｔｓ  ｌｉｓｔとアクティブセット（Ａｃｔｉｖｅ  Ｓｅｔ：接続セル）とを比較し、アクティブセットにあるセルの中でＩｎｔｒａ−ｆｒｅｑｕｅｎｃｙ  ｍｅａｓｕｒｅｄ  ｒｅｓｕｌｔｓ  ｌｉｓｔの先頭にあるセルをベストセルとみなす。
【００２４】
図２は図１の基地局制御装置３のＭｅａｓｕｒｅｍｅｎｔ  Ｒｅｐｏｒｔ（「Ｅｖｅｎｔ  １ａ」，「Ｅｖｅｎｔ  １ｂ」，「Ｅｖｅｎｔ  １ｃ」，「Ｅｖｅｎｔ  １ｄ」）受信時の処理決定動作を示すフローチャートである。図３は３ＧＰＰのＩｎｔｒａ−ｆｒｅｑｕｅｎｃｙ  ｍｅａｓｕｒｅｄ  ｒｅｓｕｌｔｓ  ｌｉｓｔ（非特許文献１の１０．３．７．３５章参照）の構成を示す図であり、図４は３ＧＰＰのＩｎｔｒａ−ｆｒｅｑｕｅｎｃｙ  ｍｅａｓｕｒｅｄ  ｅｖｅｎｔ  ｒｅｓｕｌｔｓ（非特許文献１の１０．３．７．３７章参照）の構成を示す図であり、図５は３ＧＰＰのＣｅｌｌ  ｍｅａｓｕｒｅｄ  ｅｖｅｎｔ  ｒｅｓｕｌｔｓ（非特許文献１の１０．３．７．４章参照）の構成を示す図である。
【００２５】
これら図１〜図５を参照して、基地局制御装置３のＭｅａｓｕｒｅｍｅｎｔ  Ｒｅｐｏｒｔ（「Ｅｖｅｎｔ  １ａ」，「Ｅｖｅｎｔ  １ｂ」，「Ｅｖｅｎｔ  １ｃ」，「Ｅｖｅｎｔ  １ｄ」）受信時の処理決定について説明する。
【００２６】
以下の説明では、「Ｅｖｅｎｔ  １ａ」，「Ｅｖｅｎｔ  １ｂ」，「Ｅｖｅｎｔ  １ｃ」のＭｅａｓｕｒｅｍｅｎｔ  Ｒｅｐｏｒｔを受信した場合に、アクティブセットにあるセルの中でＩｎｔｒａ−ｆｒｅｑｕｅｎｃｙ  ｍｅａｓｕｒｅｄ  ｒｅｓｕｌｔｓ  ｌｉｓｔ（図３参照）の先頭にあるセルがベストセルであり、「Ｅｖｅｎｔ  １ｄ」のＭｅａｓｕｒｅｍｅｎｔ  Ｒｅｐｏｒｔを受信した場合に、Ｉｎｔｒａ−ｆｒｅｑｕｅｎｃｙ  ｍｅａｓｕｒｅｍｅｎｔ  ｅｖｅｎｔ  ｒｅｓｕｌｔｓ（図４及び図５参照）にあるセルがベストセルであるものとする。また、アクティブセットとは、Ｍｅａｓｕｒｅｍｅｎｔ  Ｒｅｐｏｒｔによるハンドオーバ（Ｈａｎｄ  Ｏｖｅｒ）実施後のアクティブセットのことである。
【００２７】
基地局制御装置３はＭｅａｓｕｒｅｍｅｎｔ  Ｒｅｐｏｒｔ（「Ｅｖｅｎｔ  １ａ」，「Ｅｖｅｎｔ  １ｂ」，「Ｅｖｅｎｔ  １ｃ」，「Ｅｖｅｎｔ  １ｄ」）を受信時に（図２ステップＳ１）、ＨＳＤＰＡを実施中で（図２ステップＳ２）、ベストセルがＨＳＤＰＡ実施可能なセルであれば（図２ステップＳ３）、ハンドオーバ実施後に、ＨＳＤＰＡを実施する（図２ステップＳ４）。これに対し、ベストセルがＨＳＤＰＡ実施可能なセルでなければ（図２ステップＳ３）、基地局制御装置３はハンドオーバのみを実施する（図２ステップＳ５）。
【００２８】
一方、基地局制御装置３はＨＳＤＰＡを実施中でなく（図２ステップＳ２）、現在ＨＳＤＰＡを実施中のセルがベストセルであるか、現在ＨＳＤＰＡを実施中のセルが削除されないのであれば（図２ステップＳ６）、ハンドオーバのみを実施する（現在ＨＳＤＰＡを実施中のセルでＨＳＤＰＡを継続実施する）（図２ステップＳ７）。
【００２９】
基地局制御装置３は現在ＨＳＤＰＡを実施中のセルがベストセルでないか、現在ＨＳＤＰＡを実施中のセルが削除されるのであれば（図２ステップＳ６）、ベストセルがＨＳＤＰＡ実施可能なセルの場合（図２ステップＳ８）、ハンドオーバ実施後、ＨＳ−ＰＤＳＣＨを確立するセルを変更し、ＨＳＤＰＡを継続実施する（図２ステップＳ９）。また、基地局制御装置３はベストセルがＨＳＤＰＡ実施可能なセルでない場合（図２ステップＳ８）、ハンドオーバ実施後、実施中のＨＳＤＰＡを停止する（図２ステップＳ１０）。
【００３０】
このように、本実施例では、基地局制御装置３において、Ｍｅａｓｕｒｅｍｅｎｔ  Ｒｅｐｏｒｔ（「Ｅｖｅｎｔ  １ａ」，「Ｅｖｅｎｔ  １ｂ」，「Ｅｖｅｎｔ  １ｃ」，「Ｅｖｅｎｔ  １ｄ」）を受信時に、ＨＳＤＰＡが実施中か否か、ベストセルがＨＳＤＰＡ実施可能なセルかどうか、現在ＨＳＤＰＡを実施中のセルが削除されるかどうかを判定し、その判定結果に応じてハンドオーバ実施後にＨＳＤＰＡを実施するかどうかを決定することで、異なるセル間での端末移動が発生した場合でも、なるべくＨＳＤＰＡを実施することが可能となる。
【図面の簡単な説明】
【００３１】
【図１】本発明の一実施例による移動通信システムの構成を示すブロック図である。
【図２】図１の基地局制御装置３のＭｅａｓｕｒｅｍｅｎｔ  Ｒｅｐｏｒｔ受信時の処理決定動作を示すフローチャートである。
【図３】３ＧＰＰのＩｎｔｒａ−ｆｒｅｑｕｅｎｃｙ  ｍｅａｓｕｒｅｄ  ｒｅｓｕｌｔｓ  ｌｉｓｔの構成を示す図である。
【図４】３ＧＰＰのＩｎｔｒａ−ｆｒｅｑｕｅｎｃｙ  ｍｅａｓｕｒｅｄ  ｅｖｅｎｔ  ｒｅｓｕｌｔｓの構成を示す図である。
【図５】３ＧＰＰのＣｅｌｌ  ｍｅａｓｕｒｅｄ  ｅｖｅｎｔ  ｒｅｓｕｌｔｓの構成を示す図である。
【符号の説明】
【００３２】
１  移動局
２−１，２−２  基地局
３  基地局制御装置
４  移動交換局
２０−１，２０−２  セル
３１  複製分配／合成選択装置
【図１】
0004788401.tif 000002
【図２】
0004788401.tif 000003
【図３】
0004788401.tif 000004
【図４】
0004788401.tif 000005
【図５】
0004788401.tif 000006